(57)【要約】      （修正有）【課題】簡易な操作で一方の物質と他方の物質とを混合でき、混合後は発生した気体が容器内を支障なく流通して外部に放出される二剤混合容器を提供すること。【解決手段】容器内部に個別に収納した第一の物質と第二の物質とを該容器内部で混合する二剤混合容器において、第一の物質を収納する容器本体と、容器本体の口部に固着した肩カバーと、肩カバーの内側に組み付けられ第二の物質を収納する回転筒体と、回転筒体の底部を塞ぐ栓体と、回転筒体に取り付けられる吸引具とからなる。回転筒体を容器口部内面に設けられた肩カバーの内筒内周面に螺合させ、更に回転筒体の外周面と肩カバーの内筒内周面とに形成した螺条を異なるピッチとし、回転筒体に吸引具をねじ止めし、更に吸引具を回転させて回転筒体を肩カバーに対して相対回転させると、回転筒体と肩カバーとの回転差により栓体が回転筒体から螺脱するようにして二剤混合容器を構成した。【選択図】図１
2006124008.tif 000002
【特許請求の範囲】
【請求項１】
容器内部に個別に収納した第一の物質と第二の物質とを該容器内部で混合する二剤混合容器において、
第一の物質を収納する容器本体と、容器本体の口部に固着した肩カバーと、肩カバーの内側に組み付けられ第二の物質を収納する回転筒体と、回転筒体の底部を塞ぐ栓体と、回転筒体に取り付けられる吸引具と、回転筒体の上部開口面を塞ぐキャップとからなり、
回転筒体を肩カバーの上部に回動自在に組み付け、
キャップを肩カバーの外周に取り外し可能に取り付け、
栓体の内周面を回転筒体の外周面に螺合させ、かつ該栓体の外周面を、容器口部内面に設けられた肩カバーの内筒内周面に螺合させ、更に回転筒体の外周面と肩カバーの内筒内周面とに形成した螺条を異なるピッチとし、
吸引具を回転筒体の上部にねじ止めし、更に吸引具を回転させて回転筒体を肩カバーに対して相対回転させると、回転筒体と肩カバーとの回転差により栓体が回転筒体から螺脱して第二の物質が容器本体内に落下するように構成した二剤混合容器。
【請求項２】
栓体と回転筒体、および栓体と肩カバーのいずれかを軸方向に沿ったリブで移動可能に係合させた請求項１に記載の二剤混合容器。
【請求項３】
回転筒体の上部内側に、容器内部から外方に向けて開く一方向弁を備えた請求項１または２に記載の二剤混合容器。
【請求項４】
吸引具の内部に、該吸引具の吸引方向に向けて開く一方向弁を備えた請求項１または２に記載の二剤混合容器。
【請求項５】
回転筒体と肩カバーとの間に係合部材を設け、両者間に回転抵抗を付与することした請求項１から４のいずれか１項に記載の二剤混合容器。
【発明の詳細な説明】
【技術分野】
【０００１】
本発明は、予め異なる物質を容器内に収納し、使用時にそれら物質を混合して吸引用ガスや薬剤の蒸気などを容器内で生じさせる二剤混合容器に関する。
【背景技術】
【０００２】
毛染め剤を使用する場合や、吸引用酸素を発生させる場合などでは、予め異なる複数の薬剤、もしくは主剤と触媒等をそれぞれ個別に混合容器内に収納しておき、使用直前にそれら薬剤等を混合容器内で混合させて薬剤の機能を活性化させたり、ガスを発生させる方法が従来より知られている。
【０００３】
このような使い方をする混合容器としては、例えば毛染め剤の第一の薬剤を容器本体内に収納し、容器本体の上部に容器本体とシール材で遮断した小容器を設け、切断刃を下降させてシール材を破断させることで小容器に収納した毛染め剤の第二の薬剤を容器本体内に落下させてそれぞれの薬剤を容器内で混合させるようにした二液混合容器の例がある。
【０００４】
またカートリッジ内に過酸化水素水と触媒とを隔壁を介して封入し、カートリッジを本体に装着すると隔壁の一部が破損し、カートリッジ内の過酸化水素水と触媒とが接触して酸素が発生し、それを容器の外に放出するようにした携帯用酸素発生器の例がある。
【０００５】
【特許文献１】特開２０００−８５８２８号公報
【特許文献１】特開２００４−５１４０３号公報
【発明の開示】
【発明が解決しようとする課題】
【０００６】
上記二液混合容器は、切断刃でシール材を破断した後も口部からシール材が完全に除去されず、シール材の一部が口部の周囲に付着したままとなる。毛染め剤など内容物が液状の場合は比重が大きく口部に残ったシール材を動かしながら容器内を容易に流動するが、酸素など気体を容器内で発生させた場合は、口部に残ったシール材が通気抵抗となり円滑に気体が容器の外に放出されなくなることが考えられる。
【０００７】
また上記携帯用酸素発生器は、容器とは別にカートリッジを常に一緒に持っていなくてはならない。またカートリッジを取出し、容器に装填しなくてはならず手間がかかり、直ぐに酸素を必要としたときには好ましくない。
【０００８】
更に本体に組み付ける際、カートリッジに設けられた３枚のシール材を連続して破断しなければならず、高齢者や病人には開封時の負担が大きいことが考えられる。逆にシール材の強度を小さくすると、保管中など不要なところでシール材が破損することが起こる。
【０００９】
また切刃をカートリッジ内部に案内する部分がカートリッジの上部に少なく、本体を斜めにした状態でカートリッジに差し入れてシール材がうまく開封できなかったり、切刃がカートリッジの壁面に当接して破損したりすることが考えられる。
【００１０】
本発明は簡易な操作で一方の物質を他方の物質に投入し、しかも使用時まではそれぞれの物質を混在させることがなく個別に収納し、かつ容器内には気体の流通に支障となるものがなく、気体が発生したときは円滑に外部に放出される二剤混合容器を提供することを目的とする。
【課題を解決するための手段】
【００１１】
１、容器内部に個別に収納した第一の物質と第二の物質とを該容器内部で混合する二剤混合容器において、第一の物質を収納する容器本体と、容器本体の口部に固着した肩カバーと、肩カバーの内側に組み付けられ第二の物質を収納する回転筒体と、回転筒体の底部を塞ぐ栓体と、回転筒体に取り付けられる吸引具とからなり、
回転筒体を肩カバーの上部に回動自在に組み付け、キャップを肩カバーの外周に取り外し可能に取り付け、栓体の内周面を回転筒体の外周面に螺合させ、かつ該栓体の外周面を、容器口部内面に設けられた肩カバーの内筒内周面に螺合させ、更に回転筒体の外周面と肩カバーの内筒内周面とに形成した螺条を異なるピッチとし、回転筒体に吸引具をねじ止めし、更に吸引具を回転させて回転筒体を肩カバーに対して相対回転させると、回転筒体と肩カバーとの回転差により栓体が回転筒体から螺脱するようにして二剤混合容器を構成した。
【００１２】
栓体は回転筒体の下部を閉塞し、回転筒体内に第二の物質が確実に収納される。
【００１３】
使用するときはキャップを外し、吸引具を回転体にねじ込む。吸引具が回転体にねじ止めされた後も吸引具を回転させるとそのまま回転体が容器本体に対して回転する。すると栓体は回転体に対して回動しないので、回転体の回転ともに栓体が回転する。一方栓体の外面は肩カバーの内筒内面に螺合しているので、栓体の回転により栓体が螺進して内筒の間でのねじ嵌合が解かれる。すると栓体は内筒から落下し、第二の物質が容器本体内に投入される。
【００１４】
第一の物質と第二の物質が接触、あるいは混合して気体が発生したり、薬剤が蒸散したら吸引具を通してそれら気体や薬剤を吸引する。
２、  栓体と回転筒体、および栓体と肩カバーのいずれかを軸方向に沿ったリブで移動可能に係合させた請求項１に記載の二剤混合容器。
【００１５】
１では栓体は回転筒体に対して回転筒体の軸方向にのみ移動可能としたが、栓体と肩カバーに形成された螺条とピッチが等しくなく、回転筒体と肩カバーとの回転差により栓体が螺進すれば、軸方向に平行でなく、いずれかの方向に形成されたねじにより螺合していてもよい。更に、栓体と肩カバーとの係合を縦リブによるものと、栓体と回転筒体との間を螺合させてもよい。
【００１６】
３、  回転筒体の上部内側に、容器内部から外方に向けて開く一方向弁を備えた請求項１または２に記載の二剤混合容器。
４、  吸引具の内部に、該吸引具の吸引方向に向けて開く一方向弁を備えた請求項１または２に記載の二剤混合容器。
【００１７】
いずれの一方向弁も、容器内から気体や薬剤を吸引するにはなんら支障を生じさせない弁作用を有する。
【００１８】
５、  回転筒体と肩カバーとの間に係合部材を設け、両者間に回転抵抗を付与することして二剤混合容器を構成した。
【発明の効果】
【００１９】
本発明の二剤混合容器は、次の効果を有する。
【００２０】
吸引具を回転体にねじ込む作業の延長で回転筒体から栓体を取り外し、第二の物質を容器本体内に投入することができる。したがって誤操作の恐れがなく、何人も容易かつ確実に所定の気体や薬剤蒸気を吸引できる。
【００２１】
栓体が回転体から完全に取り外されるので、容器本体内に気体の流通を阻害するものがなく、円滑に気体などが吸引具から外部に放出される。
【００２２】
回転筒体に設けた一方向弁により、回転筒体からキャップを取り外しても第二の物質が露出せず、また第二の物質を投入した後容器を攪拌した場合でも容器内部から内容物が飛散することがない。
【００２３】
吸引具に設けた一方向弁により、容器を攪拌した場合でも容器内部からの飛散を防止できる。
【００２４】
回転筒体と肩カバーとの間に回転抵抗が付与されるので、両者の回動に適度な抵抗感を生じさせ、操作上の感覚を確実なものとし、かつ誤動作を防止できる。
【発明を実施するための最良の形態】
【００２５】
図４に二剤混合容器を示す。
【００２６】
二剤混合容器２は、容器本体４と、肩カバー６と、回転筒体８と、キャップ１０と、吸引具１２（図３参照）を備えている。
【００２７】
容器本体４は有底円筒状の容器で、上部に口部５を有し、内部に第一の物質Ａが１００ｃｃ程度収納してある。
【００２８】
肩カバー６は、図１に示すように下半部に外筒１４と内筒１６とを有する円筒体である。外筒１４は下端内周面に係合溝１５を備え、口部５に形成された突状１７と係合溝１５とが係合している。また外筒１４の内周面には縦リブ１９が形成してあり、口部５の外周に形成された縦リブ１９と縦リブ２１が係合し、肩カバー６は容器本体４の軸方向にも、また回転方向にも移動しないよう口部５に組み付けてある。内筒１６は口部５の内側に延設してあり、内周面にねじ部２７が形成してある。
【００２９】
回転筒体８は、図１に示すように下半部に外筒１８と内筒２０とを同心円状に有する円筒体であり、上部には吸引具１２をねじ込むねじ部２９が形成してある。外筒１８の内周面には円周方向に係合溝２５が形成してあり、肩カバー６の上部外周に円周方向に形成された突状２７と係合している。
【００３０】
これにより回転筒体８は肩カバー６に、上方に抜けることなく、かつ容器本体４の中心軸回りに回動自在に組み付いている。また、外筒１８の内面と肩カバー６の上半部との間に適度なクリック感で当接する係合部材としてのリブ１１、１３を設け、両者の回動に適度な抵抗感を生じさせる。すると操作上の感覚を確実なものとし、かつ誤動作を防止できる。
【００３１】
回転筒体８の内筒２０は肩カバー６の内筒１６の内側に同心円状に延設してあり、内筒２０の下部には栓体２２が組み付けてある。内筒２０の内部には第二の物質Ｂが２５ｃｃ程度収納してある。
【００３２】
栓体２２は内周に縦リブ３３を有し、回転筒体８の下端外周に形成された縦リブ３５に噛み合っている。縦リブ３３と縦リブ３５は、栓体２２を回転筒体８に対して回転させず、かつ回転筒体８の軸方向には移動可能に係合している。
【００３３】
また栓体２２の外周面にはねじ部３７が形成してあり、使用前は図４に示すように肩カバー６の内筒１６の内周面に形成されたねじ部３９に螺合し、回転筒体８の底部を密閉している。更にねじ部３９は、回転筒体８の上部のねじ部２９と少なくとも螺進方向を同一に形成してある。
【００３４】
キャップ１０は、肩カバー６の外筒１４に形成されたねじ部４１にねじ止めしてある。キャップ１０の上部内面にはパッキン２４が設けてあり、ねじ部４１にキャップ１０をねじ込むとパッキン２４が回転筒体８の上面を密閉する。
【００３５】
吸引具１２は上半部をラッパ状に形成した円筒体で、下半部の内周面に回転筒体８のねじ部２９に螺合するねじ部３１が形成してある。
【００３６】
次に二剤混合容器２の使用方法について説明する。
【００３７】
使用前の二剤混合容器２は、図４に示すようにキャップ１０が肩カバー６に締めつけてあり、回転筒体８の上部がパッキン２４で密閉されている。
【００３８】
容器本体４には第一の物質Ａ、例えばぜんそく薬の一方の薬剤が収納してある。また栓体２２が肩カバー６の内筒１６にねじ止めしてあり、回転筒体８の底部を栓体２２が密閉し第二の物質Ｂ、例えばぜんそく薬の他方の薬剤が回転筒体８の内部に収納してある。第一の物質Ａと第二の物質Ｂは、両者を混合すると気体、あるいは蒸気となってぜんそくの薬が液面上から蒸散する。
【００３９】
二剤混合容器２を使用するには図２に示すようにキャップ１０を回して二剤混合容器２から取り外し、図３に示すように吸引具１２を回転筒体８の上部に組付け、吸引具１２をねじ込み方向に回転させる。ねじ部２９とねじ部３１が噛み合い回転筒体８の上部に吸引具８がねじ止めされた後も、吸引具１２をねじ込み方向に回転させる。
【００４０】
すると回転筒体８がリブ１１および１３の当接により適度なクリック感を発生させながら肩カバー６に対して回転する。回転筒体８が肩カバー６に対して回転すると回転筒体８とともに回転する栓体２２は、肩カバー６に対して回転してねじ部３９を螺進する。ねじ部３７がねじ部３９の螺合から離脱すると栓体２２が容器本体４の内部に落下し、第二の物質Ｂが回転筒体８から容器本体４内に投入される。
【００４１】
第二の物質Ｂが第一の物質Ａと混合するとぜんそく薬が気体、あるいは蒸気となって発生するので、そのガスは容器本体４から回転筒体８の内部を通り吸引具１２から放出されるので、使用者が吸引具１２に口を近づけて息を吸うと発生したぜんそくの薬を吸引できる。
【００４２】
このように二剤混合容器２は、吸引具１２を回転筒体８に取り付けるねじ込み動作を終了した後もそのまま吸引具１２の回転を継続して行なうことにより、栓体２２を回転筒体８から取り外し、第二の物質を容器本体４内に投入して第一の物質と混合させることができる。したがって確実、かつ容易にぜんそくの薬を発生させることができる。
【００４３】
しかも使用前は栓体２２が回転筒体８に密着しており、第二の物質Ｂが回転筒体８から漏れ出ることがない。また回転筒体８と肩カバー６との間に縦リブを設けて回転抵抗を生じさせたことにより、回転筒体８を誤って回転させることがなく不用意に２つの物質が容器本体４内で混合されることを防止できる。
【００４４】
尚、栓体２２と回転筒体８、および栓体２２と肩カバー６との間の係合は、上記例に限るものではなく、回転筒体８と肩カバー６との相対回転により栓体２２が螺進するものであれば、肩カバー６側に縦リブを形成してもよく、また縦リブでなく、螺旋でもよい。
【００４５】
図６に二剤混合容器の他の実施形態を示す。
【００４６】
この二剤混合容器２は、回転筒体８の上部開口部に弁体７が取り付けてある。弁体７は、回転筒体８の内部から外部に向けて開放する一方向弁であり、少なくとも容器本体４内で発生したガスを吸引した場合には開放される。
【００４７】
このように回転筒体８の開口端に弁体７を設けると、キャップ１０を取り外したとき回転筒体８の上部が弁体７で覆われ、第二の物質Ｂが直接露出しない。また、第二の物質Ｂを容器本体４内に投入した後二剤混合容器２を振り、第一の物質Ａと第二の物質Ｂとを攪拌して飛沫が生じても弁体７によって飛沫が遮られ二剤混合容器２の外部に内容物が飛散することを防止できる。
【００４８】
更に、図７に示すように弁体９を吸引具１２の内部に設けてもよい。弁体９は、吸引具１２を回転筒体８に組み付けた状態で、容器本体４の内部から外部に向けて開放する一方向弁である。このよう弁体９を吸引具１２に設けても上記例と同様内容物を攪拌した時に内容物が容器外に飛散することを防止できる。
【図面の簡単な説明】
【００４９】
【図１】本発明にかかる二剤混合容器の使用状態を示した断面図である。
【図２】二剤混合容器の一実施形態を示した正面図である。
【図３】二剤混合容器の一実施形態を示した正面図である。
【図４】二剤混合容器の一実施形態を示した部分断面図である。
【図５】二剤混合容器の一実施形態を示した斜視図である。
【図６】二剤混合容器の他の実施形態を示した断面図である。
【図７】二剤混合容器の他の実施形態を示した断面図である。
【符号の説明】
【００５０】
２    二剤混合容器
４    容器本体
５    口部
６    肩カバー
７、９  弁体
８    回転筒体
１０  キャップ
１１、１３  リブ
１２  吸引具
１４、１８  外筒
１６、２０  内筒
２１、２３、３３、３５  縦リブ
２２  栓体
２４  パッキン
２５  係合溝
２７  突条
２９、３１、３７、３９、４１  ねじ部
Ａ    第一の物質
Ｂ    第二の物質
【図１】
2006124008.tif 000003
【図２】
2006124008.tif 000004
【図３】
2006124008.tif 000005
【図４】
2006124008.tif 000006
【図５】
2006124008.tif 000007
【図６】
2006124008.tif 000008
【図７】
2006124008.tif 000009